(57)【要約】      （修正有）【課題】不整脈が長時間持続して発生した場合であっても不整脈発生当初の波形と不整脈終了間際の波形との間の調律の変化を容易かつ瞬時に確認可能な生体情報表示装置および生体情報表示方法を提供する。【解決手段】測定された連続する生体情報波形を解析して異常な生体情報波形を検出する中央処理装置１１と、中央処理装置により検出された異常な生体情報波形が連続する持続期間に発生した異常な生体情報波形のうち最初に発生した異常な生体情報波形およびその直前に発生した生体情報波形を含む連続する生体情報波形からなる第１波形群と、最後に発生した異常な生体情報波形およびその直後に発生した生体情報波形を含む連続する生体情報波形からなる第２波形群とを同時に表示する表示制御部１３、表示部１４と、を有する。【選択図】図１
2015006255.tif 000002
【特許請求の範囲】
【請求項１】
測定された連続する生体情報波形を解析して異常な生体情報波形を検出する解析手段と、
前記解析手段により検出された異常な生体情報波形が連続する持続期間に発生した異常な生体情報波形のうち最初に発生した異常な生体情報波形およびその直前に発生した生体情報波形を含む連続する生体情報波形からなる第１波形群と、最後に発生した異常な生体情報波形およびその直後に発生した生体情報波形を含む連続する生体情報波形からなる第２波形群とを同時に表示する表示手段と、
を有することを特徴とする生体情報表示装置。
【請求項２】
前記表示手段は、前記第１波形群と前記第２波形群とを、同時に、かつ互いに時間軸を平行にすることにより横に並べて表示することを特徴とする請求項１に記載の生体情報表示装置。
【請求項３】
前記表示手段は、前記解析手段により検出された異常な生体情報波形の二以上の前記持続期間についての、前記第１波形群と前記第２波形群とを同時に表示することを特徴とする請求項１または２に記載の生体情報表示装置。
【請求項４】
前記解析手段は、測定された連続する生体情報波形に基づいて、前記持続期間のそれぞれについて、前記異常な生体情報波形の種別名、持続時間、心拍数、および持続拍数の少なくともいずれかをさらに解析し、
前記波形表示手段は、前記解析手段により解析された前記種別名、前記持続時間、前記心拍数、および持続拍数の少なくともいずれかを、前記持続期間のそれぞれについて前記第１波形群および前記第２波形群とともに表示することを特徴とする請求項１〜３のいずれか一項に記載の生体情報表示装置。
【請求項５】
前記解析手段は、検出した異常な生体情報波形のうち検出結果の修正が必要な前記生体情報波形を、測定された連続する生体情報波形に基づいてさらに特定し、
前記表示手段は、前記解析手段により修正が必要な前記生体情報波形として特定された異常な生体情報波形を特定可能に表示することを特徴とする請求項１〜４のいずれか一項に記載の生体情報表示装置。
【請求項６】
前記解析手段は、前記第１波形群に含まれる異常な生体情報波形と、前記第２波形群に含まれる異常な生体情報波形との間の調律の変化が閾値を超えたかどうかをさらに解析し、
前記表示手段は、前記解析手段により調律の変化が閾値を超えたと解析された前記第１波形群および前記第２波形群を特定可能に表示することを特徴とする請求項１〜５のいずれか一項に記載の生体情報表示装置。
【請求項７】
前記表示手段は、前記異常な生体情報波形の持続時間、心拍数、または前記持続時間内に生じた生体情報の変化を、前記第１波形群と前記第２波形群との間、前記第１波形群の前、および前記第２波形群の後ろの少なくともいずれかにおいて画像により表示することを特徴とする請求項１〜６のいずれか一項に記載の生体情報表示装置。
【請求項８】
前記解析手段は、同じ時間に測定された、互いに異なる複数の連続する生体情報波形を解析してそれぞれ異常な生体情報波形を検出し、
前記表示手段が表示する前記第１波形群をなす生体情報波形と前記第２波形群をなす生体情報波形は、互いに異なる生体情報波形であることを特徴とする請求項１〜７のいずれか一項に記載の生体情報表示装置。
【請求項９】
測定された連続する生体情報波形を解析して異常な生体情報波形を検出する段階（ａ）と、
前記段階（ａ）において検出された異常な生体情報波形が連続する持続期間に発生した異常な生体情報波形のうち最初に発生した異常な生体情報波形およびその直前に発生した生体情報波形を含む連続する生体情報波形からなる第１波形群と、最後に発生した異常な生体情報波形およびその直後に発生した生体情報波形を含む連続する生体情報波形からなる第２波形群とを同時に表示する段階（ｂ）と、
を有することを特徴とする生体情報表示方法。
【請求項１０】
前記段階（ｂ）は、前記第１波形群と前記第２波形群とを、同時に、かつ互いに時間軸を平行にすることにより横に並べて表示することを特徴とする請求項９に記載の生体情報表示方法。
【請求項１１】
前記段階（ｂ）は、前記段階（ａ）において検出された異常な生体情報波形の二以上の前記持続期間についての、前記第１波形群と前記第２波形群とを同時に表示することを特徴とする請求項９または１０に記載の生体情報表示方法。
【請求項１２】
前記段階（ａ）は、測定された連続する生体情報波形に基づいて、前記持続期間のそれぞれについて、前記異常な生体情報波形の種別名、持続時間、心拍数、および持続拍数の少なくともいずれかをさらに解析し、
前記段階（ｂ）は、前記段階（ａ）において解析された前記種別名、前記持続時間、前記心拍数、および持続拍数の少なくともいずれかを、前記持続期間のそれぞれについて前記第１波形群および前記第２波形群とともに表示することを特徴とする請求項９〜１１のいずれか一項に記載の生体情報表示方法。
【請求項１３】
前記段階（ａ）は、検出した異常な生体情報波形のうち検出結果の修正が必要な前記生体情報波形を、測定された連続する生体情報波形に基づいてさらに特定し、
前記段階（ｂ）は、前記段階（ａ）において修正が必要な前記生体情報波形として特定された異常な生体情報波形を特定可能に表示することを特徴とする請求項９〜１２のいずれか一項に記載の生体情報表示方法。
【請求項１４】
前記段階（ａ）は、前記第１波形群に含まれる異常な生体情報波形と、前記第２波形群に含まれる異常な生体情報波形との間の調律の変化が閾値を超えたかどうかをさらに解析し、
前記段階（ｂ）は、前記段階（ａ）において調律の変化が閾値を超えたと解析された前記第１波形群および前記第２波形群を特定可能に表示することを特徴とする請求項９〜１３のいずれか一項に記載の生体情報表示方法。
【請求項１５】
前記段階（ｂ）は、前記異常な生体情報波形の持続時間、心拍数、または前記持続時間内に生じた生体情報の変化を、前記第１波形群と前記第２波形群との間、前記第１波形群の前、および前記第２波形群の後ろの少なくともいずれかにおいて画像により表示することを特徴とする請求項９〜１４のいずれか一項に記載の生体情報表示方法。
【請求項１６】
前記段階（ａ）は、同じ時間に測定された、互いに異なる複数の連続する生体情報波形を解析してそれぞれ異常な生体情報波形を検出し、
前記段階（ｂ）において表示する前記第１波形群をなす生体情報波形と前記第２波形群をなす生体情報波形は、互いに異なる生体情報波形であることを特徴とする請求項９〜１５のいずれか一項に記載の生体情報表示方法。
【発明の詳細な説明】
【技術分野】
【０００１】
本発明は、生体情報表示装置および生体情報表示方法に関する。
【背景技術】
【０００２】
医師等は、患者の生体から繰り返し連続的に発生する生体情報波形の計測値の経時的な推移を確認することにより、患者の状態を把握し異常を検知する。
【０００３】
測定された生体情報波形である不整脈の波形のうち所望の波形を容易に表示させる技術としては、次のようなものがある。すなわち、患者監視モニターの画面を二分割し、一方に登録されている複数の不整脈の圧縮波形を一覧表示し、他方に当該一覧表示された圧縮波形のうちユーザーに指定された波形の拡大波形を表示する。これにより、ユーザーは所望の波形を一覧表示された圧縮波形から容易に選択し指定することができるため、測定された不整脈の波形のうち所望の波形を容易に表示できる（特許文献１）。
【先行技術文献】
【特許文献】
【０００４】
【特許文献１】特開平９−５１８８０号公報
【発明の概要】
【発明が解決しようとする課題】
【０００５】
しかし、不整脈が長時間持続して発生する場合、不整脈発生当初と発生前の波形、不整脈終了間際と終了後の波形をそれぞれ比較して調律の変化を確認する必要がある場合がある。上記従来技術は、不整脈が長時間持続して発生すると、拡大表示された波形において不整脈発生当初近辺の波形と不整脈終了間際近辺の波形とを確認するために何回もページめくりを行う必要があり、迅速に不整脈発生前後および終了前後の波形の調律の変化を確認することができないという問題がある。
【０００６】
本願はこのような問題を解決するためになされたものである。すなわち、連続する生体情報波形から異常な生体情報波形を検出する。そして、異常な生体情報波形が連続する持続期間に発生した異常な生体情報波形のうち最初に発生した異常な生体情報波形およびその直前に発生した生体情報波形を含む連続する生体情報波形からなる第１波形群と、最後に発生した異常な生体情報波形およびその直後に発生した生体情報波形を含む連続する生体情報波形からなる第２波形群とを同時に表示する。これにより、不整脈が長時間持続して発生した場合であっても不整脈発生当初と発生前の波形、および不整脈終了間際と終了後の波形をそれぞれ一度に比較することで、調律の変化を容易かつ瞬時に確認可能とすることを目的とする。
【課題を解決するための手段】
【０００７】
本発明の上記課題は、以下の手段によって解決される。
【０００８】
（１）測定された連続する生体情報波形を解析して異常な生体情報波形を検出する解析手段と、前記解析手段により検出された異常な生体情報波形が連続する持続期間に発生した異常な生体情報波形のうち、最初に発生した異常な生体情報波形およびその直前に発生した生体情報波形を含む連続する生体情報波形からなる第１波形群と、最後に発生した異常な生体情報波形およびその直後に発生した生体情報波形を含む連続する生体情報波形からなる第２波形群とを同時に表示する表示手段と、を有する生体情報表示装置。
【０００９】
（２）測定された連続する生体情報波形を解析して異常な生体情報波形を検出する段階（ａ）と、前記段階（ａ）において検出された異常な生体情報波形が連続する持続期間に発生した異常な生体情報波形のうち、最初に発生した異常な生体情報波形およびその直前に発生した生体情報波形を含む連続する生体情報波形からなる第１波形群と、最後に発生した異常な生体情報波形およびその直後に発生した生体情報波形を含む連続する生体情報波形からなる第２波形群とを同時に表示する段階（ｂ）と、を有する生体情報表示方法。
【発明の効果】
【００１０】
連続する生体情報波形から異常な生体情報波形を検出する。そして、異常な生体情報波形が連続する持続期間に発生した異常な生体情報波形のうち最初に発生した異常な生体情報波形およびその直前に発生した生体情報波形を含む連続する生体情報波形からなる第１波形群と、最後に発生した異常な生体情報波形およびその直後に発生した生体情報波形を含む連続する生体情報波形からなる第２波形群とを同時に表示する。これにより、不整脈が長時間持続して発生した場合であっても不整脈発生当初と発生前の波形、および不整脈終了間際と終了後の波形をそれぞれ一度に比較することで、調律の変化を容易かつ瞬時に確認することができる。
【図面の簡単な説明】
【００１１】
【図１】本発明の第１実施形態に係る生体情報表示装置を含む生体情報表示システムのブロック図である。
【図２】生体情報表示装置の表示部に、心電図の各異常波形群に含まれる最初の不整脈波形と最後の不整脈波形とを同時に表示させた表示画面を示す図である。
【図３】本発明の第１実施形態に係る生体情報表示方法のフローチャートを示す図である。
【図４】最初の不整脈波形と最後の不整脈波形との間において持続時間内に生じた心電図の変化等を表示する画像が表示された表示部の状態の一部を示す図である。
【発明を実施するための形態】
【００１２】
以下、図面を参照して、本発明の実施形態に係る生体情報表示装置および生体情報表示方法について詳細に説明する。
【００１３】
（第１実施形態）
図１は、本発明の第１実施形態に係る生体情報表示装置を含む生体情報表示システムのブロック図である。
【００１４】
図１に示すように、生体表示システムは、生体情報表示装置１０に、外部記憶装置２０および電源装置３０が接続されることにより構成される。
【００１５】
生体情報表示装置１０は、例えばパーソナルコンピュータにより構成されることができる。外部記憶装置２０は、例えばホルター型心電図モニターに装着されることで生体情報である心電図が記録されるとともに、パーソナルコンピュータに対し着脱可能なＳＤメモリーカードにより構成することができる。電源装置３０は、生体情報表示装置１０が駆動されるための電力を生体情報表示装置１０に供給する装置であり、例えば二次電池を有して構成されることができる。
【００１６】
生体情報表示装置１０は、外部記憶装置２０が装着されると、外部記憶装置２０に記録されている測定された生体情報を読み出し、解析することにより、連続する生体情報波形のうち異常な生体情報波形を検出する。そして、異常な生体情報波形が連続する持続時間に含まれる異常な生体情報波形のうち、最初に発生した生体情報波形およびその直前に発生した生体情報波形と、最後に発生した生体情報波形およびその直後に発生した生体情報波形とを、同時に表示する。
【００１７】
生体情報は生体が周期的に発生する生理学的情報である生体情報波形の集まりであり、例えば心電図であるが、これに限定されず睡眠時無呼吸症候群等の診断に利用される呼吸波形であってもよい。生体情報波形は、生体情報を構成する単位波形であり、例えば心拍ごとの心電図波形である。心電図波形は、例えば心電図における任意のＲ波から次に生じたＲ波までの波形と定義されてもよい。異常な生体情報波形とは、例えば不整脈の心電図波形（以下、「不整脈波形」と称する）である。
【００１８】
以下、簡単のために、生体情報は心電図、生体情報波形は心電図波形、異常な生体情報波形は不整脈波形をそれぞれの例として説明する。
【００１９】
生体情報表示装置１０は、中央処理装置１１、内部記憶装置１２、表示制御部１３、および表示部１４を有する。
【００２０】
中央処理装置１１は本発明の解析手段を構成し、表示制御部１３、表示部１４、および中央処理装置１１は表示手段を構成する。
【００２１】
中央処理装置１１は、ＣＰＵ（Ｃｅｎｔｒａｌ  Ｐｒｏｃｅｓｓｉｎｇ  Ｕｎｉｔ）により構成されることができる。
【００２２】
中央処理装置１１は、生体情報表示装置１０に接続された外部記憶装置２０から測定された心電図を読み出し、解析することにより、連続する心電図波形から不整脈波形を検出する。中央処理装置１１は、不整脈波形の基本的な波形パターンを内部記憶装置１２に記録させておき、不整脈波形の基本的な波形パターンと、測定された心電図波形とを比較する。そして、不整脈波形の基本的な波形パターンに近似する心電図波形を不整脈波形として検出する。
【００２３】
また、中央処理装置１１は、不整脈波形が連続することを検出する。すなわち、中央処理装置１１は、不整脈波形が連続する期間である持続期間にそれぞれ含まれる不整脈波形からなる異常波形群を検出する。そして、異常波形群に含まれる不整脈波形のうち最初に発生した不整脈波形（以下、「最初の不整脈波形」と称する）と、最後に発生した不整脈波形（以下、「最後の不整脈波形」と称する）とを同時に表示部１４に表示させる。すなわち、中央処理装置１１は、不整脈の持続期間において発生した不整脈波形のうち最初に発生した不整脈波形である最初の不整脈波形と、最後に発生した不整脈波形である最後の不整脈波形とを同時に表示部１４に表示させる。その際、中央処理装置１１は、最初の不整脈波形を最初の不整脈に隣接する心電図波形とともに表示部１４に表示させることができ、最後の不整脈波形を最後の不整脈に隣接する心電図波形とともに表示部１４に表示させることができる。最初の不整脈波形と最初の不整脈波形に隣接する心電図波形とを含む連続する心電図波形からなる波形群は第１波形群を構成する。最後の不整脈波形と最後の不整脈波形に隣接する心電図波形とを含む連続する心電図波形からなる波形群とは第２波形群を構成する。第１波形群には、最初の不整脈波形およびその直前に発生した心電図波形が含まれる。第２波形群には、最後に発生した不整脈波形およびその直後に発生した心電図波形が含まれる。
【００２４】
最初の不整脈波形とともに表示させる心電図波形の数、および最後の不整脈波形とともに表示させる心電図波形の数は、それぞれ被計測者に疑われる病気等により適宜変えることができる。
【００２５】
中央処理装置１１は、連続する不整脈波形が断続的に発生している場合は、それぞれの異常波形群に含まれる最初の不整脈波形と最後の不整脈波形とを同時に表示部１４に表示させる。
【００２６】
中央処理装置１１は、例えば発作性心房細動（ＰＡＦ：Ｐａｒｏｘｙｓｍａｌ  Ａｔｒｉａｌ  Ｆｉｂｒｉｌｌａｔｉｏｎ）等の異常な生体情報波形の種別名、不整脈波形が連続する時間である持続時間、持続期間に含まれる心拍の回数である不整脈の持続拍数、および持続期間における心拍数（ＢＰＭ：Ｂｅａｔ  Ｐｅｒ  Ｍｉｎｕｔｅ）、を心電図に基づき解析する。中央処理装置１１は、解析の結果得られた異常な生体情報波形の種別名、不整脈の持続時間、不整脈の持続拍数、および持続期間の心拍数を上記最初の不整脈波形および最後の不整脈波形と同時に表示部１４に表示させることができる。
【００２７】
図２は、生体情報表示装置の表示部に、心電図の各異常波形群に含まれる最初の不整脈波形と最後の不整脈波形とを同時に表示させた表示画面を示す図である。図２には、複数の誘導のうちの一つ（ｃｈ１）による心電波形のみが表示されているが、生体情報表示装置１０他の誘導による心電波形に表示を切り替えることができる。
【００２８】
図２に示すように、表示部１４の波形表示領域１４１には、心電図の各異常波形群１４１３に含まれる最初の不整脈波形１４１１と最後の不整脈波形１４１２とが、断続的に発生した異常波形群１４１３のそれぞれについて、例えば表示面の縦方向に並べて表示される。また、最初の不整脈波形１４１１および最後の不整脈波形１４１２は、それぞれ隣接する心電図波形１４１４〜１４１７（すなわち、隣接する不整脈波形１４１５、１４１７および隣接する正常な心電図波形１４１４、１４１６）とともに表示されている。最初の不整脈波形１４１１は第１波形群１４１３ａに含まれ、最後の不整脈波形１４１２は第２波形群１４１３ｂに含まれている。
【００２９】
波形表示領域１４１に表示されている異常波形群１４１３には、異常波形群１４１３であることを示す横線１４１３ｕが表示される。
【００３０】
ユーザーはスクロールバー１４３を操作すること等により、断続的に発生した異常波形群１４１３のすべてについて、最初の不整脈波形および最後の不整脈波形を同時に表示させることができる。
【００３１】
図２の各心電波形の下部にスクロールバーを追加し、スクロールバーを操作することにより、第１波形群１４１３ａおよび第２波形群１４１３ｂをスクロールして、前後の波形を表示することもできる。これにより、不整脈発生当初、不整脈終了間際の波形の調律の変化を、より長い時間に亘って確認することができる。また、生体情報表示装置１０により検出され、表示された不整脈の確かさを確認できる。
【００３２】
図２に示すように、表示部１４の不整脈期間リスト表示領域１４２には、不整脈の各持続期間である不整脈期間ごとの不整脈の各パラメーターが不整脈期間リストとして表示される。すなわち、各異常波形群１４１３に含まれる最初の不整脈波形１４１１の発生開始時刻である不整脈の開始時刻、最後の不整脈波形１４１２の発生終了時刻である不整脈の終了時刻、不整脈の持続時間、不整脈の持続拍数、最大ＲＲ間隔、持続期間の心拍数、および異常な生体情報波形の種別名が表示される。さらに、不整脈期間リスト表示領域１４２には、最後の不整脈波形の発生終了時刻から、当該最後の不整脈波形の消滅時から次に正常な不整脈波形の発生時までの時間であるサイナスリカバリータイム（ＳＲＴ：Ｓｉｎｕｓ  Ｒｅｃｏｖｅｒｙ  Ｔｉｍｅ）が表示される。
【００３３】
なお、表示部１４には、測定された心電図の全時間の圧縮波形がさらに表示されてもよい。
【００３４】
従来は、不整脈期間リスト表示領域に表示された不整脈期間リストの不整脈の開始時刻をクリックすることで最初の不整脈波形を波形表示領域にまず表示させ、その後、不整脈の終了時刻をクリックすることで最後の不整脈波形を波形表示領域に表示させていた。すなわち、従来は、持続期間における最初の不整脈波形と最後の不整脈波形とを逐一クリックにより個別に表示させ、最初の不整脈波形と最後の不整脈波形とを個別に確認していた。このため、従来は、最初の不整脈波形と最後の不整脈波形とを迅速かつ容易に確認することが困難であり、不整脈発生当初と発生前、不整脈終了間際と終了後の調律の変化を迅速かつ容易に確認することができなかった。
【００３５】
また、従来は、不整脈が断続的に多発した場合に、不整脈の各持続期間について最初の不整脈波形と最後の不整脈波形を表示させるためにクリックを繰り返す必要があった。このため、従来は、すべての不整脈の持続期間について不整脈の発生前後および終了前後の心電図波形の調律の変化を確認するのに比較的長時間を要していた。
【００３６】
また、従来は、不整脈が断続的に多発した場合であっても、不整脈の各持続期間について個別に不整脈波形を表示していた。従って、不整脈波形として検出された検出結果の正確さを確認する際に、検出結果の修正を行う要否にかかわらず全ての不整脈の持続期間について個別に表示して確認していたため検出結果の修正に比較的長時間を要していた。
【００３７】
一方、本実施形態においては、不整脈波形が連続する持続期間における最初の不整脈波形１４１１およびその直前に発生した生体情報波形１４１４を含む連続する生体情報波形からなる第１波形群１４１３ａと、最後に発生した異常な生体情報波形１４１２およびその直後に発生した生体情報波形１４１６を含む連続する生体情報波形からなる第２波形群１４１３ｂとを同時に表示する。これにより、各異常波形群１４１３について、不整脈の発生前後および終了前後の調律の変化を目視により容易かつ瞬時に確認することができる。
【００３８】
また、本実施形態においては、不整脈のそれぞれの持続期間における最初の不整脈波形１４１１と最後の不整脈波形１４１２とを、例えば縦方向に並べて表示する。これにより、不整脈が断続的に多発した場合であっても、すべての持続期間について、不整脈の発生前後および終了前後の調律の変化を確認するのに要する時間を削減することができる。
【００３９】
さらに、不整脈の複数の持続期間における最初の不整脈波形１４１１と最後の不整脈波形１４１２とを並べて表示することで、中央処理装置１１により不整脈波形であると解析された解析結果のうち修正を要するもののみ選択して容易に修正を行うことができる。中央処理装置１１による解析結果の修正としては、例えば、一の不整脈期間が心電図波形に重畳したノイズを原因とする中央処理装置１１による誤りであるとユーザーにより判断されたときに、当該不整脈期間を不整脈期間リストから削除するという場合がある。
【００４０】
中央処理装置１１は、検出した不整脈波形のうち検出結果の修正が必要なものを、測定された連続する心電図波形に基づいて特定し、特定した不整脈波形を特定可能に表示部１４に表示させてもよい。中央処理装置１１は、例えば、検出した不整脈波形の周波数成分を解析し、閾値を超える高周波成分を有する当該不整脈波形を、ノイズが重畳しているため信頼性が低く検出結果の修正の必要がある不整脈波形として特定することができる。また、表示部１４は、中央処理装置１１により検出結果の修正が必要な不整脈波形として特定された不整脈波形を、例えば点滅させることにより特定可能に表示することができる。
【００４１】
中央処理装置１１は、最初の不整脈波形と最後の不整脈波形との間の調律の変化が閾値を超えた場合に、調律の変化が閾値を超えた最初の不整脈波形と最後の不整脈波形とをそれぞれ隣接する心電図波形とともに特定可能に表示部１４に表示させてもよい。
【００４２】
図１に戻り、生体情報表示装置１０の他の構成要素について説明する。
【００４３】
内部記憶装置１２は、ＲＡＭ（Ｒａｎｄａｍ  Ａｃｃｅｓｓ  Ｍｅｍｏｒｙ）、ＲＯＭ（Ｒｅａｄ  Ｏｎｌｙ  Ｍｅｍｏｒｙ）およびＨＤＤ（Ｈａｒｄ  Ｄｉｓｋ  Ｄｒｉｖｅ）により構成されることができる。
【００４４】
内部記憶装置１２は、中央処理装置１１が内部記憶装置１２の構成要素を制御し、および測定された心電図を解析するための各種プログラム、および外部記憶装置２０から読み込まれた心電図のデータや中央処理装置１１による心電図の解析結果等の各種データを保存する。
【００４５】
表示制御部１３は、中央処理装置１１による制御に基づいて、表示部１４を制御および駆動することにより、表示部１４に、画像等を表示させる。
【００４６】
表示部１４は、液晶ディスプレイにより構成されることができる。
【００４７】
表示部１４は、表示制御部１３により制御および駆動されることにより、中央処理装置１１による心電図の解析により検出された各不整脈期間における最初の不整脈波形１４１１と最後の不整脈波形１４１２とを同時に表示する。また、表示部１４は、同時に、不整脈期間ごとの不整脈の各パラメーターが表示される不整脈期間リストを表示する。さらに、表示部１４は、同時に、心電図の全時間の圧縮波形を表示することができる。
【００４８】
図３は、本実施形態に係る生体情報表示方法のフローチャートを示す図である。本フローチャートは、本実施形態に係る生体情報表示装置１０においてプログラムに基づいて実施されることができる。
【００４９】
生体情報表示装置１０の中央処理装置１１は、外部記憶装置２０から測定された心電図を読み込む（Ｓ３０１）。
【００５０】
中央処理装置１１は、ステップＳ３０１において読み込んだ心電図を解析し、内部記憶装置１２にあらかじめ記録させた不整脈波形の基本的な波形パターンと心電図波形とを比較することで不整脈波形を検出する（Ｓ３０２）。
【００５１】
中央処理装置１１は、ステップＳ３０２において検出した不整脈波形が連続する各持続期間に含まれる異常な不整脈波形のうち、最初の不整脈波形１４１１と最後の不整脈波形１４１２とを検出する（Ｓ３０３）。
【００５２】
中央処理装置１１は、ステップＳ３０３において検出した最初の不整脈波形１４１１とこれに隣接する心電図波形１４１４、１４１５とを含む第１波形群１４１３ａを心電図から抽出する。また、中央処理装置１１は、最後の不整脈波形１４１２とこれに隣接する心電図波形１４１６、１４１７とを含む第２波形群１４１３ｂを心電図から抽出する（Ｓ３０４）。
【００５３】
中央処理装置１１は、ステップＳ３０４において心電図から抽出した第１波形群１４１３ａと第２波形群１４１３ｂとを表示部１４に同時に表示させる。
【００５４】
本実施形態は以下の効果を奏する。
【００５５】
連続する生体情報波形から異常な生体情報波形を検出する。そして、異常な生体情報波形が連続する持続期間に発生した異常な生体情報波形のうち最初に発生した異常な生体情報波形およびその直前に発生した生体情報を含む連続する生体情報波形からなる第１波形群と、最後に発生した異常な生体情報波形およびその直後に発生した生体情報波形を含む連続する生体情報波形からなる第２波形群とを同時に表示する。これにより、不整脈が長時間持続して発生した場合であっても不整脈発生当初と発生前の波形、および不整脈終了間際と終了後の波形をそれぞれ一度に比較することで、調律の変化を容易かつ瞬時に確認することができる。
【００５６】
さらに、表示手段は、第１波形群と第２波形群とを、同時に、かつ互いに時間軸を平行にすることにより横に並べて表示することもできる。これにより、不整脈発生当初の波形と不整脈終了間際の波形とを発生時間に対応して表示することができるため、両者の発生時間の前後関係を認識しつつ不整脈発生当初と発生前の波形、および不整脈終了間際と終了後の波形のそれぞれの調律の変化を容易かつ瞬時に確認することができる。
【００５７】
さらに、表示手段は、解析手段により検出された二以上の前記持続期間についての第１波形群と第２波形群とを同時に表示する。これにより、不整脈が断続的に多発した場合であっても、すべての持続期間について、不整脈の発生前後および終了前後の調律の変化を確認するのに要する時間を短縮することができる。また、不整脈の複数の持続期間における最初の不整脈波形と最後の不整脈波形とを並べて表示することで、不整脈波形であると解析された解析結果のうち修正を要するもののみ選択して容易に修正を行うことができる。
【００５８】
さらに、解析手段は、測定された連続する生体情報波形に基づいて、検出した波形群のそれぞれについて、異常な生体情報波形の種別名、持続時間、心拍数、および持続拍数の少なくともいずれかをさらに解析する。そして、波形表示手段は、これらの各パラメーターを各持続期間のそれぞれについて第１波形群および第２波形群とともに表示する。これにより、不整脈の発生前後および終了前後の調律の変化を、各持続期間における不整脈の各パラメーターとともに容易かつ迅速に確認することができる。
【００５９】
さらに、解析手段は、検出した異常な生体情報波形のうち検出結果の修正が必要な生体情報波形を、測定された連続する生体情報波形に基づいて特定し、特定した生体情報波形を特定可能に表示手段に表示させる。これにより、ユーザーは、誤検出の可能性がある異常な生体情報波形を容易に確認し修正することができる。
【００６０】
さらに、解析手段は、第１波形群に含まれる異常な生体情報波形と、第２波形群に含まれる異常な生体情報波形との間の調律の変化が閾値を超えたかどうかを解析し、調律の変化が閾値を超えると判断した第１波形群および第２波形群を特定可能に表示部に表示させる。これにより、ユーザーは、不整脈発生当初の波形と不整脈終了間際の波形とで調律の変化が大きい不整脈波形を容易に確認することができる
（第２実施形態）
本発明の第２実施形態に係る生体情報表示装置および生体情報表示方法について説明する。
【００６１】
本実施形態が第１実施形態と異なる点は、本実施形態は、持続時間、心拍数、または持続時間内に生じた生体情報の変化を、第１波形群と第２波形群との間、第１波形群の前、および第２波形群の後ろの少なくともいずれかにおいて画像により表示部に表示する点である。それ以外の点については、本実施形態は第１実施形態と同様であるため重複する説明は省略または簡略化する。ここで、生体情報の変化には、例えば、ＲＲ間隔等の心電図波形の各種パラメーター、呼吸波形の各種パラメーター、血中の酸素飽和度等の変化等が含まれる。
【００６２】
図４は、最初の不整脈波形と最後の不整脈波形との間において持続時間内に生じた心電図の変化等を表示する画像が表示された表示部の状態の一部を示す図である。
【００６３】
図４のＡには、不整脈の持続期間における不整脈波形からなる異常波形群１４１３の中央に、持続時間内に生じたＲＲ間隔の変化を表示する画像であるグラフが表示されている。当該グラフは、図示しない最初の不整脈波形１４１１と最後の不整脈波形１４１２との間において表示されている。
【００６４】
グラフの横軸は、単位長さａにより５分間という時間区域が設けられ、時間区域の数に応じた時間の経過を示している。グラフの縦軸は、心電図波形のＲＲ間隔を示している。そして、グラフの横軸の時間区域が示す時間である５分間における縦軸のＲＲ間隔を有する不整脈波形の個数が、該当する縦軸のＲＲ間隔の範囲の位置に、明度により時間区域ごとに表示されている。例えば、不整脈波形の個数が小さいほど明度が小さく表示されることにより、明度の小さい（暗い）表示が縦軸の広い範囲にばらつく場合（図４のＡにはこの場合のグラフが示されている）は、ＲＲ間隔のばらつきが大きいと視覚的に容易に確認することができる。一方、明度の大きい（明るい）表示が縦軸の狭い範囲に集中する場合は、ＲＲ間隔のばらつきが小さいと視覚的に容易に確認することができる。
【００６５】
なお、所定のＲＲ間隔の範囲に属する不整脈波形の個数による表示は、個数に応じて、個数が増大するに従い寒色系の色から暖色系の色に変化させることで行ってもよい。
【００６６】
図４のＢには、不整脈の持続期間における不整脈波形からなる異常波形群１４１３の中央に、持続時間における心電図の圧縮波形が表示されている。
【００６７】
圧縮波形においては、図上において右方向にいくに従い、および下段方向にいくに従い、時間の経過が示されている。このように圧縮波形が表示されることにより、不整脈の持続期間および心拍数を視覚的に容易に確認することができる。
【００６８】
図４のＣには、不整脈の持続期間における不整脈波形からなる異常波形群１４１３の中央に、持続時間のうち不整脈波形が表示されていない時間が画像により表示されている。
【００６９】
図４のＣに示すように、持続時間のうち不整脈波形が表示されていない時間が約１３時間であることが棒グラフにより表示されている。このように、持続時間のうち不整脈波形が表示されていない時間が図示されることにより、不整脈の持続期間を視覚的に容易に確認することができる。
【００７０】
本実施形態は以下の効果を奏する。
【００７１】
異常な生体情報波形の持続時間、心拍数、または持続時間内に生じた生体情報の変化を、最初の不整脈波形と最後の不整脈波形との間において画像により表示する。これにより、不整脈の種類によって患者の重篤度の指標となる情報を各異常波形群の中央に画像により表示することで、当該情報を視覚的に容易に確認することができる。さらに、異常な生体情報波形となる前、および／または異常な生体情報波形から正常な生体情報波形に復帰した後において画像により表示する。これにより、不整脈後の状態の変化や、患者への負荷状態の指標となる情報を異常波形群の前後に画像により表示することで、当該情報を視覚的に容易に確認する事ができる。
【００７２】
以上、本発明の実施形態に係る生体情報表示装置および生体情報表示方法について説明したが、本発明は上述した実施形態に限定されるものではない。
【００７３】
例えば、不整脈期間リストには、呼吸、いびき、血中の酸素飽和度（ＳＰＯ２）、努力呼吸、体位、脳波に関するパラメーターが表示されてもよい。これにより、例えば睡眠時無呼吸症候群の診断においても多面的で効果的な診断を迅速に行うことができる。
【００７４】
また、最初の不整脈波形および最後の不整脈波形のいずれか一方を、それぞれ異常な呼吸波形が連続する持続期間における最初の異常な呼吸波形および最後の異常な呼吸波形に代替して表示してもよい。これにより、異常な生体波形が連続する持続期間の開始時と終了時とで異なる生体情報を確認することで、より多面的かつ信頼性の高い診断を迅速に行うことができる。さらに、睡眠時無呼吸症候群の診断において、異常な生体波形が連続する持続期間の開始時において呼吸波形を表示し、終了時に血中の酸素飽和度の波形を表示することで、呼吸が低下してから血中の酸素飽和度が低下するまでの一連の生体の反応を確認することが容易にできる。
【００７５】
また、上述した実施形態においては、生体情報表示方法を生体情報表示装置においてプログラムにより実施するものとして説明したが、プログラムにより実施される全部または一部をＬＳＩ（Ｌａｒｇｅ  Ｓｃａｌｅ  Ｉｎｔｅｇｒａｔｉｏｎ）等のハードウェアに置き替えて実施されてもよい。
【符号の説明】
【００７６】
１    生体情報表示システム、
１０    生体情報表示装置、
１４１    波形表示領域、
１４２    不整脈期間リスト表示領域、
１４３    スクロールバー、
１４１１    最初の不整脈波形、
１４１２    最後の不整脈波形。
【図１】
2015006255.tif 000003
【図２】
2015006255.tif 000004
【図３】
2015006255.tif 000005
【図４】
2015006255.tif 000006